(57)【要約】【課題】フレームユニットだけでなく、単体状態のウエーハであっても、切削加工後に取り出して加工結果を容易に確認することができる切削装置を提供すること。【解決手段】単体状態のウエーハ１又はフレームユニット９をそれぞれ複数収容するカセット３０が載置されるカセット載置台を備えるカセット載置機構４０と、ウエーハ１又はフレームユニット９を搬送するカセット搬送部６０と、を備え、カセット載置機構４０は、カセット載置台と共に昇降し、検査対象のウエーハ１又はフレームユニット９が収容される検査用収容部を有し、検査用収容部は、収容されるフレームユニット９を両脇で支持するガイドレール１１４と、ガイドレール１１４に支持され、フレームユニット９と同様の外径を有し、カセット搬送部６０により検査対象である単体状態のウエーハ１が載置される支持トレー１１３と、を備える。【選択図】図３
2019193960.tif 000002
【特許請求の範囲】
【請求項１】
ウエーハ単体状態のウエーハ、又は環状フレームの開口にダイシングテープで保持されてフレームユニットを構成するウエーハを保持するチャックテーブルと、該チャックテーブルに保持されたウエーハを切削する切削ユニットと、単体状態のウエーハ又はフレームユニットを複数収容するカセットが載置されるカセット載置台を備えるカセット機構と、該カセットと該チャックテーブルとの間で該ウエーハ又は該フレームユニットを搬送する搬送ユニットと、を備える切削装置であって、
該カセット機構は、
該カセット載置台の下側で該カセット載置台と共に昇降し、検査対象の該ウエーハ又は該フレームユニットが該搬送ユニットによって収容される検査ウエーハ収容部を有し、
該検査ウエーハ収容部は、
収容される該フレームユニットを両脇で支持するガイドレールと、
該ガイドレールに支持され、該フレームユニットと同様の外径を有し、該搬送ユニットにより検査対象である単体状態の該ウエーハが載置される支持トレーと、を備える切削装置。
【請求項２】
該搬送ユニットは、
単体状態の該ウエーハの上面を非接触吸引保持器で吸引保持する非接触式搬送部と、
該フレームユニットの該環状フレームを吸引保持する吸着パッドと、該吸着パッドに負圧を作用させる吸引路と、該吸引路内の圧力を測定する圧力測定部と、を備える接触式搬送部と、を有し、
該支持トレーは、
ウエーハを載置するウエーハ載置領域と、該搬送ユニットの該吸着パッドに対応する吸着領域とに連通する連通路と、を備え、
該支持トレーの該吸着領域に該吸着パッドから負圧を作用させ、該ウエーハ載置領域に載置した該ウエーハによって該吸引路の圧力が閾値以下の場合、該ウエーハが該支持トレーに載置されていると判定される請求項１に記載の切削装置。
【請求項３】
ウエーハ単体状態のウエーハの結晶方位を示す切り欠きの向きを検出する検出ユニットをさらに備え、
該検出ユニットは、ウエーハを保持すると共に該ウエーハより小径な検出テーブルと、該検出テーブルに保持されたウエーハの外周に設けられて該切り欠きを検出するセンサー部と、該検出テーブルを回転させて検出した該切り欠きを所定の方向に向ける回転制御部と、を備え、
該検出テーブルは、該搬送ユニットが該カセットから該ウエーハを搬出した搬送経路に設けられる請求項１または２に記載の切削装置。
【発明の詳細な説明】
【技術分野】
【０００１】
本発明は、切削装置に関する。
【背景技術】
【０００２】
半導体ウエーハや各種板状の被加工物を切削する切削装置が知られている。この種の切削装置では、通常、半導体ウエーハなどのウエーハは環状フレームの開口にダイシングテープで支持されたフレームユニットの状態で切断（フルカット）される。一方、先ダイシング加工の場合、ウエーハの表面からハーフカット溝を形成するのでウエーハは分割されず、更に、ハーフカット溝を形成したウエーハの表面には研削用の保護テープが貼着される。このため、フレームユニットのようにウエーハを環状フレームに固定する必要が無く、ウエーハ単体の状態でウエーハの加工が実行されている（例えば、特許文献１参照）。
【０００３】
また、複数のウエーハを自動的に切削加工する際、例えば１枚目のウエーハの加工結果を確認してから他のウエーハの自動加工を開始したいという要望がある。このため、加工後のウエーハを１枚だけ簡単に取り出せる検査用収容部を備えた切削装置が提案されている（例えば、特許文献２参照）。
【先行技術文献】
【特許文献】
【０００４】
【特許文献１】特開２００５−１１９１７号公報
【特許文献２】特開２００５−４５１３４号公報
【発明の概要】
【発明が解決しようとする課題】
【０００５】
しかし、従来の検査用収容部は、フレームユニットに対応して設けられていたため、環状フレームに支持されない単体状態のウエーハを切削加工後に１枚だけ簡単に取り出すことはできなかった。
【０００６】
本発明は、上記に鑑みてなされたものであって、フレームユニットだけでなく、単体状態のウエーハであっても、切削加工後に取り出して加工結果を容易に確認することができる切削装置を提供することを目的とする。
【課題を解決するための手段】
【０００７】
上述した課題を解決し、目的を達成するために、本発明は、ウエーハ単体状態のウエーハ、又は環状フレームの開口にダイシングテープで保持されてフレームユニットを構成するウエーハを保持するチャックテーブルと、該チャックテーブルに保持されたウエーハを切削する切削ユニットと、単体状態のウエーハ又はフレームユニットを複数収容するカセットが載置されるカセット載置台を備えるカセット機構と、該カセットと該チャックテーブルとの間で該ウエーハ又は該フレームユニットを搬送する搬送ユニットと、を備える切削装置であって、該カセット機構は、該カセット載置台の下側で該カセット載置台と共に昇降し、検査対象の該ウエーハ又は該フレームユニットが該搬送ユニットによって収容される検査ウエーハ収容部を有し、該検査ウエーハ収容部は、収容される該フレームユニットを両脇で支持するガイドレールと、該ガイドレールに支持され、該フレームユニットと同様の外径を有し、該搬送ユニットにより検査対象である単体状態の該ウエーハが載置される支持トレーと、を備えるものである。
【０００８】
この構成によれば、検査ウエーハ収容部は、収容される該フレームユニットを両脇で支持するガイドレールと、該ガイドレールに支持され、該フレームユニットと同様の外径を有し、該搬送ユニットにより検査対象である単体状態の該ウエーハが載置される支持トレーと、を備えるため、単体状態の該ウエーハを支持トレーに載置することにより、フレームユニットと同様に、支持トレーを検査ウエーハ収容部のガイドレールに支持することができ、検査対象である単体状態のウエーハを取り出して加工結果を容易に確認することができる。
【０００９】
また、該搬送ユニットは、該ウエーハ単体の該ウエーハの上面を非接触吸引保持器で吸引保持する非接触式搬送部と、該フレームユニットの該環状フレームを吸引保持する吸着パッドと、該吸着パッドに負圧を作用させる吸引路と、該吸引路内の圧力を測定する圧力測定部と、を備える接触式搬送部と、を有し、該支持トレーは、ウエーハを載置するウエーハ載置領域と、該搬送ユニットの該吸着パッドに対応する吸着領域とに連通する連通路と、を備え、該支持トレーの該吸着領域に該吸着パッドから負圧を作用させ、該ウエーハ載置領域に載置した該ウエーハによって該吸引路の圧力が閾値以下の場合、該ウエーハが該支持トレーに載置されていると判定されてもよい。
【００１０】
また、ウエーハ単体状態のウエーハの結晶方位を示す切り欠きの向きを検出する検出ユニットをさらに備え、該検出ユニットは、ウエーハを保持すると共に該ウエーハより小径な検出テーブルと、該検出テーブルに保持されたウエーハの外周に設けられて該切り欠きを検出するセンサー部と、該検出テーブルを回転させて検出した該切り欠きを所定の方向に向ける回転制御部と、を備え、該検出テーブルは、該搬送ユニットが該カセットから該ウエーハを搬出した搬送経路に設けられてもよい。
【発明の効果】
【００１１】
本発明によれば、検査ウエーハ収容部は、収容される該フレームユニットを両脇で支持するガイドレールと、該ガイドレールに支持され、該フレームユニットと同様の外径を有し、該搬送ユニットにより検査対象である単体状態の該ウエーハが載置される支持トレーと、を備えるため、単体状態のウエーハを支持トレーに載置することにより、フレームユニットと同様に、支持トレーを検査ウエーハ収容部のガイドレールに支持することができ、検査対象である単体状態のウエーハを取り出して加工結果を容易に確認することができる。
【図面の簡単な説明】
【００１２】
【図１】図１は、本実施形態に係る切削装置の加工対象のウエーハの一例を示す斜視図である。
【図２】図２は、図１に示されたウエーハを環状フレームで支持したフレームユニットの一例を示す斜視図である。
【図３】図３は、本実施形態に係る切削装置の斜視図である。
【図４】図４は、切削装置が備えるカセット載置機構とカセット搬送部及び洗浄搬送部とを示す部分断面図である。
【図５】図５は、カセット搬送部の移動ユニットの斜視図である。
【図６】図６は、図５の移動ユニットからウエーハ搬送アームを除いた要部を示す平面図である。
【図７】図７は、検出テーブルに保持されたウエーハを示す平面図である。
【図８】図８は、検出テーブルからカセット搬送部がウエーハを離脱させる方向に搬送した状態を示す図である。
【図９】図９は、洗浄搬送部がウエーハをチャックテーブルに搬送した状態を示す図である。
【図１０】図１０は、フレームユニットを検査用収容部の収容箱本体に搬入する状態を示す図である。
【図１１】図１１は、収容箱本体を検査用収容部から取り出す状態を示す図である。
【図１２】図１２は、ウエーハを支持する支持トレーの斜視図である。
【図１３】図１３は、図１２の部分断面図である。
【図１４】図１４は、支持トレーにウエーハが適切に支持されているかを判定する概略構成を示す図である。
【図１５】図１５は、カセット搬送部がチャックテーブルからウエーハを離脱させる状態を示す図である。
【図１６】図１６は、支持トレーを検査用収容部の収容箱本体から搬出する状態を示す図である。
【図１７】図１７は、支持トレー上にウエーハを載置する状態を示す図である。
【図１８】図１８は、ウエーハが載置された支持トレーを検査用収容部の収容箱本体に搬入する状態を示す図である。
【発明を実施するための形態】
【００１３】
本発明を実施するための形態（実施形態）につき、図面を参照しつつ詳細に説明する。以下の実施形態に記載した内容により本発明が限定されるものではない。また、以下に記載した構成要素には、当業者が容易に想定できるもの、実質的に同一のものが含まれる。さらに、以下に記載した構成は適宜組み合わせることが可能である。また、本発明の要旨を逸脱しない範囲で構成の種々の省略、置換又は変更を行うことができる。
【００１４】
図１は、本実施形態に係る切削装置の加工対象のウエーハの一例を示す斜視図である。図２は、図１に示されたウエーハを環状フレームで支持したフレームユニットの一例を示す斜視図である。本実施形態に係る切削装置は、図１に示す単体状態のウエーハ（ウエーハ単体ともいう）１と、図２に示すフレームユニット９を構成するウエーハ１を加工対象とする。ウエーハ１は、シリコン、サファイア、ガリウムヒ素又はＳｉＣ（炭化ケイ素）などを基板２とする円板状の半導体ウエーハや光デバイスウエーハである。ウエーハ１は、図１に示すように、基板２の外周部にウエーハ１の結晶方位の向きを示す切り欠き２Ａが設けられる。ウエーハ１は、互いに交差する複数の直線状の分割予定ライン３が設定され、複数の分割予定ライン３で区画された各領域にそれぞれデバイス４が形成された表面（上面）５を有する。また、フレームユニット９は、図２に示すように、上記したウエーハ１をフレーム７に保持したものであり、円環状に形成されたフレーム（環状フレーム）７と、このフレーム７の開口７ａに配置されるウエーハ１と、このウエーハ１の裏面６及びフレーム７の裏面に貼着された粘着テープ（例えばダイシングテープ）８とを備えて構成される。なお、単体状態のウエーハ１とは、フレーム７に保持されていない状態のウエーハ１を示し、ウエーハ１の表面５または裏面６に保護テープが貼着された状態を含む。
【００１５】
次に、切削装置１００について説明する。図３は、本実施形態に係る切削装置の斜視図である。図４は、切削装置が備えるカセット載置機構とカセット搬送部及び洗浄搬送部とを示す部分断面図である。図５は、カセット搬送部の移動ユニットの斜視図である。図６は、図５の移動ユニットからウエーハ搬送アームを除いた要部を示す平面図である。切削装置１００は、上記したウエーハ１またはフレームユニット９を構成するウエーハ１に対して切削加工を行う装置である。切削装置１００は、図３に示すように、直方体状の基台１０１に配置され、ウエーハ１またはフレームユニット９を保持するチャックテーブル１０と、チャックテーブル１０に保持されたウエーハ１またはフレームユニット９のウエーハ１に切削加工をする切削ユニット２０とを備える。
【００１６】
また、切削装置１００は、切削加工前後のウエーハ１を収容するウエーハカセット３０Ａが載置されるカセット載置機構（カセット機構）４０を備える。カセット載置機構４０には、上記したフレームユニット９を収容するフレームカセット３０Ｂを載置することもでき、ウエーハカセット３０Ａとフレームカセット３０Ｂとから選択された一方がカセット載置機構４０に載置される。なお、ウエーハカセット３０Ａとフレームカセット３０Ｂとを区別する必要が無い場合には単にカセット３０という。また、切削装置１００は、切削加工後のウエーハ１またはフレームユニット９を洗浄する洗浄部５０と、カセット３０とチャックテーブル１０との間でウエーハ１またはフレームユニット９を搬送するカセット搬送部（搬送ユニット；第１搬送ユニット）６０と、チャックテーブル１０と洗浄部５０との間でウエーハ１またはフレームユニット９を搬送する洗浄搬送部（搬送ユニット；第２搬送ユニット）７０とを備える。また、切削装置１００は、ウエーハカセット３０Ａに収容されたウエーハ１の切り欠き２Ａの位置を検出する検出ユニット８０と、切削装置１００の動作を制御する制御ユニット９０とを備える。制御ユニット９０は、回転制御部９１と、算出部（算出ユニット）９２と、判定部９３と、不図示の入出力インタフェース装置とを備える。制御ユニット９０は、ＣＰＵ（central  processing  unit）のようなマイクロプロセッサを有し、ＲＯＭに記憶されているコンピュータプログラムを実行して、切削装置１００を制御するための制御信号を生成し、生成された制御信号は入出力インタフェース装置を介して切削装置１００の各構成要素に出力される。
【００１７】
チャックテーブル１０は、上記した基台１０１内に設けられた図示しない加工送りユニットによって、Ｘ軸方向（加工送り方向；保持面と平行な方向）に移動可能に設けられている。チャックテーブル１０は、吸着チャック１１を備え、該吸着チャック１１の保持面１１Ａ上に、ウエーハ１またはフレームユニット９を図示しない吸引手段によって保持するようになっている。加工送りユニットは、チャックテーブル１０を保持面１１Ａと水平に上記Ｘ軸方向に加工送りする。また、チャックテーブル１０は、図示しない回転機構によって回動可能に構成されている。
【００１８】
また、基台１０１の上面１０１Ａには、Ｙ軸方向（割出方向）に沿ってそれぞれ延在するとともに、チャックテーブル１０を跨いで配置される門型の支持構造１２，１４が設けられている。一方の支持構造１４には、切削ユニット２０をＹ軸方向（割出方向）及びＺ軸方向（鉛直方向）にそれぞれ移動させる移動ユニット１７が設けられている。切削ユニット２０は、回転駆動される図示しない回転スピンドルに装着された切削ブレード２１を備え、この切削ブレード２１が回転しつつ、Ｚ軸方向に下降することにより、ウエーハ１の表面に切削加工が行われる。例えば、裏面６側に保護テープ（不図示）を貼着されて、チャックテーブル１０上に保持された単体状態のウエーハ１に対して、ウエーハ１の厚み方向の途中まで切削するハーフカットが実行され、チャックテーブル１０上に保持されたフレームユニット９のウエーハ１に対して、このウエーハ１を分割予定ライン３に沿って切削して分割するフルカットが実行される。
【００１９】
ウエーハカセット３０Ａは、図４に示すように、ウエーハ１の搬入及び搬出をするための開口３０Ａ１を備え、この開口３０Ａ１は、カセット搬送部６０に対向して設けられている。また、ウエーハカセット３０Ａの両側壁の内面には、搬入されたウエーハ１の外周縁の一部を支持するための複数段のガイドレール状のラック棚（不図示）がＺ軸方向（鉛直方向）に間隔を空けて平行に設けられている。また、図示は省略したが、フレームカセット３０Ｂは、ウエーハカセット３０Ａと同様に、フレームユニット９の搬入及び搬出をするための開口を備え、この開口は、カセット搬送部６０に対向して設けられている。また、フレームカセット３０Ｂの両側壁の内面には、搬入されたフレームユニット９を載置するための複数段のラック棚（不図示）がＺ軸方向（鉛直方向）に対向して設けられている。
【００２０】
カセット載置機構４０は、上記したウエーハカセット３０Ａまたはフレームカセット３０Ｂが選択されて載置される検査用収容部（検査用ウエーハ収容部）４１と、この検査用収容部４１をＺ軸方向（鉛直方向）に上下動させるための昇降部４２とを備える。検査用収容部４１は、カセット搬送部６０側に第１開口４１Ａと、この第１開口４１Ａの反対側に第２開口４１Ｄを設けた角筒状に形成されており、この内部に収容箱本体１１０がスライド移動可能に配置される。本実施形態では、検査用収容部４１の上にカセット３０が載置されるため、検査用収容部４１の上板部がカセット載置台４１Ｂとして機能する。また、検査用収容部４１の下板部４１Ｃは、昇降部４２によって昇降可能な支持台４３に固定される。
【００２１】
昇降部４２は、基台１０１の側壁に沿って上下方向に配設され回転可能に支持された雄ねじロッド４２Ａと、この雄ねじロッド４２Ａを正回転および逆回転させるパルスモータ４２Ｂと、雄ねじロッド４２Ａの両側に平行に配設され上下方向に延びる案内レール４２Ｃとを備える。雄ねじロッド４２Ａには、支持台４３の一端部に設けられた雌ねじ孔４３Ａが進退自在に取り付けられるとともに、被案内レール４３Ｂが案内レール４２Ｃと係合している。これにより、パルスモータ４２Ｂを一方向に回転駆動すると支持台４３は、雄ねじロッド４２Ａおよび案内レール４２Ｃに沿って上昇し、パルスモータ４２Ｂを他方向に回転駆動すると支持台４３は、雄ねじロッド４２Ａおよび案内レール４２Ｃに沿って下降する。このように支持台４３が昇降することにより、支持台４３に固定される検査用収容部４１は、基台１０１の内部に収容された位置から該基台１０１の上部に露出して、カセット搬送部６０の把持部６５と対向する位置までＺ軸方向の高さ位置を調整することができる。また、検査用収容部４１が基台１０１の内部に収容されている場合には、検査用収容部４１上に載置されたカセット３０の開口がカセット搬送部６０と対向する。
【００２２】
カセット搬送部６０は、図３に示すように、他方の支持構造１２に設けられている。このカセット搬送部６０は、ウエーハ１及びフレームユニット９をそれぞれ上記した割出方向と平行となるＹ軸方向（搬出入方向）に沿ってカセット３０に搬送する。カセット搬送部６０は、支持構造１２の側面に配置され、Ｙ軸方向に平行なガイドレール６１と、このガイドレール６１上をスライド移動可能な移動ユニット６２とを備える。移動ユニット６２は、ガイドレール６１との対向面側にナット部（不図示）を備え、このナット部は、ガイドレール６１に設けられるボールねじ６１Ａに進退自在に取り付けられている。ボールねじ６１Ａの一端部には、パルスモータ（不図示）が連結されており、パルスモータでボールねじ６１Ａを回転させると、移動ユニット６２はガイドレール６１に沿ってＹ軸方向に移動する。
【００２３】
移動ユニット６２は、図５に示すように、Ｚ軸方向（鉛直方向）下方に延びるシリンダ部６３と、このシリンダ部６３の下端部に連結される搬送アーム６４と、この搬送アーム６４に設けられる把持部６５とを備える。また、移動ユニット６２は、搬送アーム６４の上部に配置されてＹ軸方向に平行なガイドレール６６と、このガイドレール６６上をＹ軸方向に沿ってスライド移動するウエーハ搬送アーム６７と、ウエーハ搬送アーム６７を駆動する駆動部６８とを備える。
【００２４】
シリンダ部６３は、Ｚ軸方向（鉛直方向）に伸縮し、搬送アーム６４及び搬送アーム６４に取り付けられたウエーハ搬送アーム６７のＺ軸方向の高さ位置を調整する。搬送アーム６４は、ウエーハ１及びフレームユニット９を搬送する部材である。搬送アーム６４は、図６に示すように、Ｙ軸方向に延びる一対の外側アーム（接触式搬送部）６４Ａ，６４Ａ及び一対の内側アーム（非接触式搬送部）６４Ｂ，６４Ｂを備える。一対の内側アーム６４Ｂ，６４Ｂは、一対の外側アーム６４Ａ，６４Ａの間に配置されており、一対の外側アーム６４Ａ，６４ＡよりもＹ軸方向の長さが短く形成されている。外側アーム６４Ａの各先端の下部には、それぞれバキュームパッド（図４；吸着パッド）６４Ａ１が設けられている。このバキュームパッド６４Ａ１は、図６に示すように、フレームユニット９のフレーム７の外縁に対応する位置に形成され、このフレーム７の表面を吸引することでフレームユニット９を保持する。また、内側アーム６４Ｂの各先端の下部には、それぞれウエーハ１に空気（流体）を噴出して負圧を発生させて該ウエーハ１を非接触状態で吸引する複数の吸引パッド（非接触吸引保持器）６４Ｂ１が形成されている。この吸引パッド６４Ｂ１は、ウエーハ１の外縁に対応する位置に形成される、いわゆるベルヌイパッドであり、噴出空気によって生成されるベルヌイ効果による負圧を利用した非接触状態でウエーハ１を吸引保持する。
【００２５】
把持部６５は、図３及び図４に示すように、カセット３０と対向してＹ軸方向の先端部に設けられ、フレームユニット９（フレーム７）の縁部を把持する。フレームユニット９は、把持部６５により把持されてフレームカセット３０Ｂから後述する仮置きレール（仮置き領域）１３に搬出される。また、フレームユニット９は、把持部６５により把持されて、仮置きレール１３からフレームカセット３０Ｂ、もしくは、検査用収容部４１に搬入される。
【００２６】
一方、ウエーハ搬送アーム６７は、図５に示すように、平面視で略Ｃ字形状に形成されており、ウエーハ搬送アーム６７の上面には、ウエーハ１の裏面（下面）６と接触した状態で該ウエーハ１の裏面６を吸引保持する複数のバキュームパッド６７Ａが形成されている。駆動部６８は、ウエーハ搬送アーム６７をガイドレール６６に沿って移動させて、ウエーハカセット３０Ａからウエーハ１を搬出もしくはウエーハカセット３０Ａにウエーハ１を搬入する。
【００２７】
洗浄搬送部７０は、カセット搬送部６０と同様に、支持構造１２に設けられ、ウエーハ１及びフレームユニット９をそれぞれ上記した割出方向と平行となるＹ軸方向（搬出入方向）に沿って洗浄部５０に搬送する。洗浄搬送部７０は、支持構造１２の側面に配置され、Ｙ軸方向に平行なガイドレール７１と、このガイドレール７１上をスライド移動可能な移動ユニット７２とを備える。移動ユニット７２は、ガイドレール７１との対向面側にナット部（不図示）を備え、このナット部は、ガイドレール７１に設けられるボールねじ７１Ａに進退自在に取り付けられている。ボールねじ７１Ａの一端部には、パルスモータ（不図示）が連結されており、パルスモータでボールねじ７１Ａを回転させると、移動ユニット７２はガイドレール７１に沿ってＹ軸方向に移動する。また、移動ユニット７２は、ガイドレール７１からＸ軸方向に延びるアーム部７３と、このアーム部７３の先端からＺ軸方向（鉛直方向）下方に延びるシリンダ部７４と、このシリンダ部７４の下端に設けられる保持部７５とを備える。シリンダ部７４は、Ｚ軸方向（鉛直方向）に伸縮し、保持部７５のＺ軸方向の高さ位置を調整する。保持部７５は、円板形状に形成され、保持部７５の下面にはウエーハ１を非接触状態でウエーハ１を吸引保持する複数の吸引パッド（ベルヌイパッド；非接触吸引保持器）７５Ａ（図８参照）と、フレームユニット９を吸引保持する複数のバキュームパッド（吸着パッド）７５Ｂ（図８参照）とを備える。バキュームパッド７５Ｂは、フレームユニット９のフレーム７を吸引し、吸引パッド７５Ａよりも外縁側に設けられている。
【００２８】
本実施形態では、カセット３０及び洗浄部５０は、図３及び図４に示すように、カセット搬送部６０及び洗浄搬送部７０の搬送経路上に位置しており、チャックテーブル１０がＸ軸方向に移動可能な領域を挟んで、基台１０１の両側に配置されている。また、カセット３０は、カセット搬送部６０側に開口して形成され、洗浄部５０は、上面が開口して形成されている。カセット３０と洗浄部５０との間には、フレームユニット９が一時的に仮置きされる一対の仮置きレール１３，１３が設けられる。この仮置きレール１３，１３上には、カセット搬送部６０の把持部６５によりフレームカセット３０Ｂから搬出される未加工のフレームユニット９、または、フレームカセット３０Ｂもしくは検査用収容部４１に搬入される加工後のフレームユニット９などが仮置きされる。
【００２９】
仮置きレール１３，１３上に仮置きされた未加工のフレームユニット９は、カセット搬送部６０の搬送アーム６４のバキュームパッド６４Ａ１により吸引保持され、仮置きレール１３上からチャックテーブル１０に搬送される。チャックテーブル１０上で切削加工がなされたフレームユニット９は、洗浄搬送部７０の保持部７５のバキュームパッド７５Ｂにより吸引保持され、洗浄部５０に搬送される。洗浄部５０で洗浄されたフレームユニット９は、カセット搬送部６０の搬送アーム６４のバキュームパッド６４Ａ１により吸引保持され、洗浄部５０から仮置きレール１３上に仮置きされる。また、仮置きレール１３，１３は、互いに近接または離間するようにＸ軸方向に移動可能に構成される。仮置きレール１３，１３は、フレームユニット９を載置した状態で互いに近接することで、フレームユニット９の中心位置が所定の位置に位置づけられ、チャックテーブル１０への搬送時にはチャックテーブル１０の中心とフレームユニット９の中心とを合わせることができる。同様に、仮置きレール１３，１３は、フレームユニット９を載置した状態で互いに近接することで、フレームカセット３０Ｂの中心とフレームユニット９の中心とも合わせることができる。
【００３０】
ところで、従来、フレームユニット９のウエーハ１をフルカットする切削装置では、切削等の加工後の状態を観察するための検査用収容部は、カセットの下方領域に配置されていた（例えば、特開２００９−１０５１０９号公報）。一方、単体状態のウエーハ１をハーフカットするハーフカット専用機では、カセットの下方領域にウエーハ１の切り欠き位置を検出する検出ユニットが設けられていた。このため、フレームユニット９とウエーハ１のどちらも加工できる兼用機の場合、両方の機能を共存させることが強く要望されており、検査用収容部と検出ユニットとを配置するスペースを確保する必要がある。
【００３１】
このため、本実施形態では、検出ユニット８０は、図３に示すように、ウエーハカセット３０Ａとチャックテーブル１０との間の基台１０１の上面１０１Ａに配置されている。すなわち、検出ユニット８０は、カセット搬送部６０がウエーハカセット３０Ａからウエーハ１を搬出した搬送経路上に設けられている。検出ユニット８０は、基台１０１の上面１０１Ａに配置された支持フレーム８１と、この支持フレーム８１上に設けられてウエーハ１を保持する検出テーブル８２と、この支持フレーム８１上に検出テーブル８２と並べて配置されるコ字状のセンサフレーム８３と、このセンサフレーム８３の対向する面にそれぞれ配置された２つの発光部８４，８４及び受光部８５，８５（センサー部）とを備える。
【００３２】
支持フレーム８１は、基台１０１の上面１０１Ａに該上面１０１Ａから隙間をあけて配置される。支持フレーム８１と基台１０１の上面１０１Ａとの間には、ウエーハ１もしくはフレームユニット９が十分に通過できる程度の隙間８６が形成される。支持フレーム８１の上面８１Ａには、ウエーハ１を保持する検出テーブル８２が設けられている。この検出テーブル８２は、パルスモータなどの回転駆動手段（不図示）によって適宜回転することが可能に構成されている。また、検出テーブル８２の保持面８２Ａには、負圧制御手段（不図示）によって適宜負圧が作用するように構成されている。検出テーブル８２は、図４に示すように、ウエーハ１よりも小径に形成され、検出テーブル８２の中心とウエーハカセット３０Ａの開口３０Ａ１との距離はウエーハ１の半径より小さい。このため、カセット搬送部６０のウエーハ搬送アーム６７を用いて、ウエーハカセット３０Ａから搬出されたウエーハ１を速やかに検出テーブル８２上に保持することができる。
【００３３】
発光部８４及び受光部８５は、お互いに対向して配置されて、検出テーブル８２上に保持されたウエーハ１の切り欠き２Ａの位置を検出する。本実施形態では、発光部８４及び受光部８５は、例えば、８インチウエーハ及び１２インチウエーハ等のように、ウエーハ１の大きさに対応して設けられている。この構成では、検出ユニット８０は、基台１０１の上面１０１Ａ上に露出して配置されるため、検出ユニット８０の各構成部材のメンテナンスを容易に行うことも可能となった。
【００３４】
次に、検出ユニット８０が切り欠き２Ａの位置を調整する動作について説明する。図７は、検出テーブルに保持されたウエーハを示す平面図である。まず、図４に示すように、カセット搬送部６０のウエーハ搬送アーム６７は、ウエーハ１を吸引することにより、ウエーハ１をウエーハカセット３０Ａから搬出し、この搬出されたウエーハ１を検出テーブル８２上に保持する。次に、制御ユニット９０の回転制御部９１は、検出テーブル８２を回転させると共に、発光部８４及び受光部８５を動作させてウエーハ１の切り欠き２Ａの位置を検出する。
【００３５】
ウエーハ１の切り欠き２Ａの位置が検出されると、回転制御部９１は、切り欠き２Ａの位置とパルスモータの回転位置との関係に基づいて、ウエーハ１の切り欠き２Ａを所定方向に向ける制御をする。例えば、図７に示すように、回転後の切り欠き２Ａからウエーハ１（基板２）の中心２Ｏへ向かう方向と、Ｙ軸方向（割出方向）とが一致するように、回転制御部９１は、切り欠き２Ａの位置を制御する。この構成では、検出ユニット８０は、カセット搬送部６０がウエーハカセット３０Ａからウエーハ１を搬出した搬送経路上に設けられているため、ウエーハ１を検出ユニットに搬送する手順が簡素化し、検出ユニット８０の検出テーブル８２上でウエーハ１の切り欠き２Ａの位置を所定の向きに容易に調整することができる。
【００３６】
ここで、制御ユニット９０の算出部（算出ユニット）９２は、ウエーハ１の切り欠き２Ａを所定の向きに位置づけた状態で、発光部８４及び受光部８５が検出するウエーハ１の外周縁の位置からウエーハ１（基板２）の中心２Ｏと検出テーブル８２の中心８２Ｏとの距離をＸ軸方向（加工送り方向）及びＹ軸方向（割出方向、搬出入方向）にそれぞれ算出する。そして、算出された距離をそれぞれＸ軸方向及びＹ軸方向のずれ量とし、ウエーハ１をチャックテーブル１０に搬送する際に該ずれ量を補正する。
【００３７】
次に、切り欠き２Ａの位置が調整されたウエーハ１をチャックテーブル１０に搬送する動作について説明する。図８は、検出テーブルからカセット搬送部がウエーハを離脱させる方向に搬送した状態を示す図であり、図９は、洗浄搬送部がウエーハをチャックテーブルに搬送した状態を示す図である。検出テーブル８２で切り欠き２Ａの位置を調整されたウエーハ１の裏面（下面）６は、図８に示すように、再びカセット搬送部６０のウエーハ搬送アーム６７の上面に形成されたバキュームパッド６７Ａにより吸引され、Ｙ軸方向に沿って、検出テーブル８２から離脱する。この際、カセット搬送部６０は、上記したＹ軸方向のずれ量を加減した移動距離だけウエーハ１をＹ軸方向に沿って搬送する。これにより、ウエーハ１のＹ軸方向のずれ量が補正される。次に、洗浄搬送部７０をウエーハ１の上方に位置づけると共に、洗浄搬送部７０の保持部７５を降下させて、該保持部７５の下面に設けた吸引パッド７５Ａによってウエーハ１の上面を非接触状態で吸引する。この時、ウエーハ搬送アーム６７のバキュームパッド６７Ａの吸引を停止することにより、ウエーハ搬送アーム６７から保持部７５への移動をスムーズに行うことができる。保持部７５で吸引されたウエーハ１の下方にチャックテーブル１０が位置づけられる。この時、チャックテーブル１０は、上記したＸ軸方向のずれ量を加減した移動距離だけＸ軸方向に移動される。これにより、ウエーハ１のＸ軸方向のずれ量も補正されるため、図９に示すように、保持部７５に非接触状態で吸引されたウエーハ１をチャックテーブル１０上に降下にさせて搬送することにより、チャックテーブル１０の中心にウエーハ１の中心２Ｏを位置づけることができる。
【００３８】
次に、フレームユニット９を検査用収容部４１に収容する動作について説明する。図１０は、フレームユニットを検査用収容部の収容箱本体に搬入する状態を示す図であり、図１１は、収容箱本体を検査用収容部から取り出す状態を示す図である。検査用収容部４１は、加工後のフレームユニット９またはウエーハ１の状態を観察するためのものであり、選択された１枚のフレームユニット９またはウエーハ１を仮置きする収容箱本体１１０を備える。収容箱本体１１０は、図３に示すように、底板１１１と両方の側板１１２，１１２とを備えて上面が開放されたトレー形状に形成され、側板１１２の内面には、搬入されるフレームユニット９またはウエーハ１が載置される支持トレー１１３を載置するための複数段のガイドレール１１４がＺ軸方向（鉛直方向）に対向して設けられている。また、収容箱本体１１０は、検査用収容部４１の内側面に形成されたスライドレール（スライダ）１１５（図１１）に沿って、検査用収容部４１内をスライド移動可能に形成される。
【００３９】
検査用収容部４１の収容箱本体１１０にフレームユニット９を搬入する場合には、図１０に示すように、検査用収容部４１の第１開口４１Ａが露出し、収容箱本体１１０の底板１１１と仮置きレール１３との高さ位置を合わせるように、カセット載置機構４０の高さ位置を調整する。そして、カセット搬送部６０の外側アーム６４Ａに形成されたバキュームパッド６４Ａ１を用いて、検査対象のフレームユニット９を仮置きレール１３上に載置する。
【００４０】
仮置きレール１３上に載置されたフレームユニット９は、フレームの縁部９Ａをカセット搬送部６０の把持部６５で把持され、図１０に示すように、支持フレーム８１と基台１０１の上面１０１Ａとの間に形成された隙間８６を通じて、収容箱本体１１０内に搬入される。この場合、収容箱本体１１０が検査用収容部４１内で移動しないように、検査用収容部４１の第２開口４１Ｄ側にロック手段（不図示）を設けておくことが好ましい。
【００４１】
収容箱本体１１０内にフレームユニット９が搬入されると、ロック手段が自動または作業員によって解除され、収容箱本体１１０は、図１１に示すように、検査用収容部４１内をスライドレール１１５に沿ってスライド移動して第２開口４１Ｄを通じて引き出される。これによれば、カセット３０の下方に設けた検査用収容部４１内の収容箱本体１１０に簡単にフレームユニット９を搬入し、この収容箱本体１１０を検査用収容部４１から簡単に引き出すことができる。
【００４２】
次に、収容箱本体１１０に支持される支持トレー１１３について説明する。図１２は、ウエーハを支持する支持トレーの斜視図である。図１３は、図１２の部分断面図である。図１４は、支持トレーにウエーハが適切に支持されているかを判定する概略構成を示す図である。支持トレー１１３は、図１２に示すように、分割予定ライン３に沿ってハーフカット溝３Ａが形成されたウエーハ１を収容箱本体１１０内に支持するための板状体であり、上記したフレームユニット９のフレーム７と同等の外形寸法に形成されている。支持トレー１１３は、中央にウエーハ１が載置されるウエーハ載置領域１２０と、このウエーハ載置領域１２０の外側に外周領域１２１とを備える。支持トレー１１３は、図１３に示すように、外周領域１２１に形成された吸着孔（吸着領域）１２２と、ウエーハ載置領域１２０に形成されたウエーハ吸着孔１２３と、このウエーハ吸着孔１２３と吸着孔１２２とを連通する連通路１２４とを備えている。
【００４３】
吸着孔（吸着領域）１２２は、図１４に示すように、カセット搬送部６０の搬送アーム６４における外側アーム６４Ａのバキュームパッド６４Ａ１に対応する位置に形成されている。また、ウエーハ吸着孔１２３は、ウエーハ１と対向する位置に形成され、ウエーハ１をウエーハ載置領域１２０に載置した場合にウエーハ吸着孔１２３はウエーハ１と密着する。また、搬送アーム６４の外側アーム６４Ａは、バキュームパッド６４Ａ１に負圧を作用させる吸引路１３０を備え、この吸引路１３０には、電磁弁１３１を介して、負圧源１３２が接続されている。また、吸引路１３０には、バキュームパッド６４Ａ１と電磁弁１３１との間に、該吸引路１３０内の圧力を測定する圧力測定部１３３を備え、この圧力測定部１３３は、制御ユニット９０（図１）の判定部９３に接続されている。
【００４４】
本実施形態では、支持トレー１１３のウエーハ載置領域１２０にウエーハ１を正常に載置すると、ウエーハ載置領域１２０に形成されたウエーハ吸着孔１２３とウエーハ１とが密着する。この状態で、外側アーム６４Ａのバキュームパッド６４Ａ１を外周領域１２１に形成された吸着孔１２２に位置づけ、この吸着孔１２２に負圧を作用させると、吸引路１３０内の圧力が低下する。このため、判定部９３は、圧力測定部１３３により測定された吸引路１３０内の圧力が所定の閾値以下に低下した場合、ウエーハ載置領域１２０にウエーハ１が正常に載置されていると判定する。また、圧力測定部１３３により測定された吸引路１３０内の圧力が所定の閾値以下に低下しない場合、判定部９３は、ウエーハ載置領域１２０にウエーハ１が載置されていない、もしくは、ずれた状態（正常でない状態）で載置されていると判定する。これにより、圧力測定部１３３により測定された吸引路１３０内の圧力値によって、ウエーハ載置領域１２０にウエーハ１が正常に載置されているか否かを正確に判定することができる。
【００４５】
次に、上記した支持トレー１１３を用いて、ウエーハ１を検査用収容部４１に収容する動作について説明する。図１５は、カセット搬送部がチャックテーブルからウエーハを離脱させる状態を示す図である。図１６は、支持トレーを検査用収容部の収容箱本体から搬出する状態を示す図である。図１７は、支持トレー上にウエーハを載置する状態を示す図である。図１８は、ウエーハが載置された支持トレーを検査用収容部の収容箱本体に搬入する状態を示す図である。
【００４６】
検査用収容部４１の収容箱本体１１０に加工後のウエーハ１を搬入する場合には、図１５に示すように、チャックテーブル１０上に配置されたウエーハ１を、カセット搬送部６０の内側アーム６４Ｂに形成された吸引パッド６４Ｂ１を用いて、検査対象のウエーハ１を非接触状態で吸引してチャックテーブル１０から離脱させる。
【００４７】
次に、図１６に示すように、検査用収容部４１の第１開口４１Ａが露出し、収容箱本体１１０の底板１１１と仮置きレール１３との高さ位置を合わせるように、カセット載置機構４０の高さ位置を調整する。そして、支持フレーム８１と基台１０１の上面１０１Ａとの間に形成された隙間８６を通じて、カセット搬送部６０の把持部６５を収容箱本体１１０内に挿入する。把持部６５は、収容箱本体１１０内に配置された支持トレー１１３の縁部１１３Ａを把持し、支持トレー１１３を収容箱本体１１０の外側に搬出して仮置きレール１３上に載置する。
【００４８】
次に、図１７に示すように、カセット搬送部６０における内側アーム６４Ｂの吸引パッド６４Ｂ１に非接触状態で保持された検査対象のウエーハ１は、仮置きレール１３上に載置された支持トレー１１３に載置される。この際、カセット搬送部６０における外側アーム６４Ａのバキュームパッド６４Ａ１を支持トレー１１３の外周領域１２１に形成された吸着孔１２２に位置づけ、この吸着孔１２２に負圧を作用させる。そして、圧力測定部１３３により測定された吸引路１３０内の圧力が所定の閾値以下に低下したか否かによって、ウエーハ載置領域１２０にウエーハ１が正常に載置されている否かを判定する。ウエーハ載置領域１２０にウエーハ１が正常に載置されていない場合には、内側アーム６４Ｂの吸引パッド６４Ｂ１を用いて再度、ウエーハ載置領域１２０にウエーハ１を載置してもよいし、そのまま載置不良をエラーとして発報してもよい。
【００４９】
一方、ウエーハ載置領域１２０にウエーハ１が正常に載置されている場合には、図１８に示すように、カセット搬送部６０の把持部６５は、支持トレー１１３の縁部１１３Ａを把持し、支持フレーム８１と基台１０１の上面１０１Ａとの間に形成された隙間８６を通じて、ウエーハ１が載置された支持トレー１１３を収容箱本体１１０内に搬入する。この場合にも、収容箱本体１１０が検査用収容部４１内で移動しないように、検査用収容部４１の第２開口４１Ｄ側にロック手段（不図示）を設けておくことが好ましい。
【００５０】
収容箱本体１１０内に支持トレー１１３が搬入されると、ロック手段が自動または作業員によって解除され、フレームユニット９の場合と同様に、収容箱本体１１０は、検査用収容部４１内をスライドレール１１５に沿ってスライド移動して第２開口４１Ｄを通じて引き出される。これによれば、カセット３０の下方に設けた検査用収容部４１内の収容箱本体１１０に簡単にウエーハ１を搬入し、この収容箱本体１１０を検査用収容部４１から簡単に引き出すことができる。
【００５１】
以上、説明したように、本実施形態の切削装置１００は、単体状態のウエーハ１、又はフレーム７の開口７ａに粘着テープ８で保持されてフレームユニット９を構成するウエーハ１を保持するチャックテーブル１０と、チャックテーブル１０に保持されたウエーハ１を切削する切削ユニット２０と、単体状態のウエーハ１又はフレームユニット９をそれぞれ複数収容するカセット３０が載置されるカセット載置台４１Ｂを備えるカセット載置機構４０と、カセット３０とチャックテーブル１０との間でウエーハ１又はフレームユニット９を搬送するカセット搬送部６０と、を備える切削装置１００であって、カセット載置機構４０は、カセット載置台４１Ｂの下側でカセット載置台４１Ｂと共に昇降し、検査対象のウエーハ１又はフレームユニット９がカセット搬送部６０によって収容される検査用収容部４１を有し、検査用収容部４１は、収容されるフレームユニット９を両脇で支持するガイドレール１１４と、ガイドレール１１４に支持され、フレームユニット９と同様の外径を有し、カセット搬送部６０により検査対象である単体状態のウエーハ１が載置される支持トレー１１３と、を備えるため、単体状態のウエーハ１を支持トレー１１３に載置することにより、フレームユニット９と同様に、ウエーハ１が載置された支持トレー１１３を検査用収容部４１のガイドレール１１４に支持することができ、検査対象である単体状態のウエーハ１を取り出して加工結果を容易に確認することができる。
【００５２】
また、本実施形態によれば、カセット搬送部６０は、単体状態のウエーハ１の表面５を吸引パッド６４Ｂ１により非接触状態で吸引保持する内側アーム６４Ｂと、フレームユニット９のフレーム７を接触状態で吸引保持するバキュームパッド６４Ａ１と、バキュームパッド６４Ａ１に負圧を作用させる吸引路１３０と、吸引路１３０内の圧力を測定する圧力測定部１３３と、を備える外側アーム６４Ａと、を有し、支持トレー１１３は、ウエーハ１を載置するウエーハ載置領域１２０に形成されたウエーハ吸着孔１２３と、カセット搬送部６０の外側アーム６４Ａにおけるバキュームパッド６４Ａ１に対応する吸着孔１２２とに連通する連通路１２４と、を備え、支持トレー１１３の吸着孔１２２にバキュームパッド６４Ａ１から負圧を作用させ、ウエーハ載置領域１２０に載置したウエーハ１によって連通路１２４の圧力が閾値以下の場合、ウエーハ１が支持トレー１１３に載置されていると判定するため、ウエーハ載置領域１２０にウエーハ１が正常に載置されているか否かを正確に判定することができる。
【００５３】
また、本実施形態によれば、単体状態のウエーハ１の結晶方位を示す切り欠き２Ａの向きを検出する検出ユニット８０をさらに備え、検出ユニット８０は、ウエーハ１を保持すると共にウエーハ１より小径な検出テーブル８２と、検出テーブル８２に保持されたウエーハ１の外周に設けられて切り欠き２Ａを検出する発光部８４及び受光部８５と、検出テーブル８２を回転させて検出した切り欠き２Ａを所定の方向に向ける回転制御部９１と、を備え、検出テーブル８２は、カセット搬送部６０がウエーハカセット３０Ａからウエーハ１を搬出した搬送経路に設けられている。このため、ウエーハ１を搬送する経路の煩雑化を抑え、ウエーハ１の切り欠き２Ａの位置合わせを簡単に行うことができる。さらに、検出ユニット８０のメンテナンス性の向上を実現することができる。
【００５４】
なお、本発明は、上記実施形態に限定されるものではない。すなわち、本発明の骨子を逸脱しない範囲で種々変形して実施することができる。
【符号の説明】
【００５５】
１  ウエーハ
２  基板
２Ｏ  中心
７  フレーム（環状フレーム）
７ａ  開口
８  粘着テープ
９  フレームユニット
１０  チャックテーブル
１１Ａ  保持面
１３  仮置きレール（仮置き領域）
２０  切削ユニット（加工ユニット）
３０  カセット
３０Ａ  ウエーハカセット
３０Ｂ  フレームカセット
４０  カセット載置機構
４１  検査用収容部（検査用ウエーハ収容部）
４１Ａ  第１開口
４１Ｂ  カセット載置台
４１Ｄ  第２開口
６０  カセット搬送部（搬送ユニット）
６４  搬送アーム
６４Ａ  外側アーム（接触式搬送部）
６４Ａ１  バキュームパッド（吸着パッド）
６４Ｂ  内側アーム（非接触式搬送部）
６４Ｂ１  吸引パッド（非接触吸引保持器）
６５  把持部
６７  ウエーハ搬送アーム
６８  駆動部
７０  洗浄搬送部（搬送ユニット）
７５  保持部
７５Ａ  吸引パッド（非接触吸引保持器）
７５Ｂ  バキュームパッド（吸着パッド）
８０  検出ユニット
８２  検出テーブル
８２Ｏ  中心
８３  センサフレーム
８４  発光部（センサー部）
８５  受光部（センサー部）
８６  隙間
９０  制御ユニット
９１  回転制御部
９２  算出部（算出ユニット）
９３  判定部
１００  切削装置
１０１  基台
１０１Ａ  上面
１１０  収容箱本体
１１１  底板
１１３  支持トレー
１１４  ガイドレール
１１５  スライドレール（スライダ）
１２０  ウエーハ載置領域
１２１  外周領域
１２２  吸着孔（吸着領域）
１２３  ウエーハ吸着孔
１２４  連通路
１３０  吸引路
１３１  電磁弁
１３２  負圧源
１３３  圧力測定部
【図１】
2019193960.tif 000003
【図２】
2019193960.tif 000004
【図３】
2019193960.tif 000005
【図４】
2019193960.tif 000006
【図５】
2019193960.tif 000007
【図６】
2019193960.tif 000008
【図７】
2019193960.tif 000009
【図８】
2019193960.tif 000010
【図９】
2019193960.tif 000011
【図１０】
2019193960.tif 000012
【図１１】
2019193960.tif 000013
【図１２】
2019193960.tif 000014
【図１３】
2019193960.tif 000015
【図１４】
2019193960.tif 000016
【図１５】
2019193960.tif 000017
【図１６】
2019193960.tif 000018
【図１７】
2019193960.tif 000019
【図１８】
2019193960.tif 000020